(57)【特許請求の範囲】
【請求項１】
高分子材料からなる中空糸膜基体と、前記中空糸膜基体の外表面側のみにＮ−イソプロ
ピルアクリルアミドのグラフト重合により形成された所定の温度で可逆的に膨張／収縮す
る高分子鎖からなる孔径調整材とからなり、この孔径調整材は逆洗時に加温制御された原
水によって加温されて前記高分子鎖が収縮して孔径を拡張させることを特徴とする温度応
答性中空糸膜。
【請求項２】
４０℃〜６０℃における最大孔径が０．２μｍであることを特徴とする請求項１に記載
の温度応答性中空糸膜。
【請求項３】
前記Ｎ−イソプロピルアクリルアミドは、前記中空糸膜基体に対して２０〜４４μｇ／
ｃｍ２グラフト重合されていることを特徴とする請求項１に記載の温度応答性中空糸膜。
【請求項４】
高分子材料からなる中空糸膜基体と前記中空糸膜基体の外表面側のみにＮ−イソプロピ
ルアクリルアミドのグラフト重合により形成された所定の温度で可逆的に膨張／収縮する
高分子鎖からなる孔径調整材とからなる中空糸膜の多数本を、原水口と処理水口とを有す
る容器内に配置し、その端部外周を固定部材により固定してなり、前記孔径調整材は逆洗
時に加温された原水によって加温制御されて前記高分子鎖が収縮して孔径を拡張させるこ
とを特徴とする温度応答性中空糸膜モジュール。
【請求項５】
前記中空糸膜は、Ｕ字状に折り曲げられて集束固定されていることを特徴とする請求項
４に記載の温度応答性中空糸膜モジュール。
【請求項６】
前記容器内を前記固定部材により前記中空糸膜の位置する原水側と前記中空糸膜の端部
が開口する処理水側とに区画する請求項４記載の温度応答性中空糸膜モジュールと、
前記温度応答性中空糸膜モジュール内の原水側を加熱する加熱器と
を具備することを特徴とするろ過装置。
【請求項７】
前記温度応答性中空糸膜モジュール内の処理水側に処理水を流入させる逆圧洗浄手段と
、該モジュール内の原水側に圧縮空気を供給する第１空気供給系統とをさらに具備するこ
とを特徴とする請求項６に記載のろ過装置。
【請求項８】
前記加熱器は、前記温度応答性中空糸膜モジュール内の原水側を循環させる第２空気供
給系統に連結されていることを特徴とする請求項６に記載のろ過装置。
【請求項９】
前記加熱器は、前記温度応答性中空糸膜モジュール内に配置されていることを特徴とす
る請求項６に記載のろ過装置。
【発明の詳細な説明】
【技術分野】
【０００１】
本発明は、河川水、雨水貯水、廃水等の水処理に適した温度応答性中空糸膜、温度応答性中空糸膜モジュール及びそれを用いたろ過装置に関する。
【背景技術】
【０００２】
従来、水処理分野において、河川水、雨水貯水、廃水等の原水をろ過処理して工業用水を得る方法として、例えば、中空糸型の精密ろ過膜、限外ろ過膜、ナノろ過膜などの中空糸膜が用いられている。このような中空糸膜により、原水中から微生物、藻類、粘土等の不溶性の固形分を取り除いている。近年では、中空糸膜の素材として親水性材料を用いたり、疎水性材料で構成されている場合でも中空糸の膜面を重クロム酸カリの硫酸溶液等で親水化処理することで、ろ過速度を向上させることが検討されている（例えば、特許文献１参照）。
【０００３】
しかし、このような中空糸膜を装填したろ過装置を用いて原水を通水すると、中空糸の膜面などに原水中の固形分が堆積して、ろ過抵抗が増加する。そのため、所定量の処理水を得るためには高い圧力で運転しなければならず、ろ過装置の運転に消費するエネルギーが増加しやすくなる。
【０００４】
そこで、中空糸膜が所定の差圧上昇を示した時点で、ろ過処理された処理水や圧縮空気等を用いて逆圧洗浄（逆洗）を行い、膜面に堆積した固形分を取り除いている。
【特許文献１】特開平５−２３５５３号公報
【発明の開示】
【発明が解決しようとする課題】
【０００５】
しかしながら、上述したような従来の中空糸膜を用いた場合には、長時間（数百時間から数千時間）にわたるろ過運転によって膜面に固形分が付着、堆積し、ろ過処理後に逆洗を行っても固形分を完全に除去することができず、中空糸膜の差圧を回復させ難い。このため、膜寿命が短くなり、頻繁に中空糸膜を交換する必要があった。
【０００６】
本発明は、このような課題に対処するためになされたもので、中空糸膜の洗浄効果が高く、長期間にわたり膜面の差圧上昇を抑制することが可能な温度応答性中空糸膜、温度応答性中空糸膜モジュール及びそれを用いた装置を提供することを目的とする。
【課題を解決するための手段】
【０００７】
すなわち、請求項１に記載の温度応答性中空糸膜は、高分子材料からなる中空糸膜基体
と、前記中空糸膜基体の外表面側のみにＮ−イソプロピルアクリルアミドのグラフト重合
により形成された所定の温度で可逆的に膨張／収縮する高分子鎖からなる孔径調整材とか
らなり、この孔径調整材は逆洗時に加温制御された原水によって加温されて前記高分子鎖
が収縮して孔径を拡張させることを特徴とする。
【０００８】
また、請求項４に記載の温度応答性中空糸膜モジュールは、高分子材料からなる中空糸
膜基体と前記中空糸膜基体の外表面側のみにＮ−イソプロピルアクリルアミドのグラフト
重合により形成された所定の温度で可逆的に膨張／収縮する高分子鎖からなる孔径調整材
とからなる中空糸膜の多数本を、原水口と処理水口とを有する容器内に配置し、その端部
外周を固定部材により固定してなり、前記孔径調整材は逆洗時に加温制御された原水によ
って加温されて前記高分子鎖が収縮して孔径を拡張させることを特徴とする。
【０００９】
請求項６に記載のろ過装置は、前記容器内を前記固定部材により前記中空糸膜の位置する原水側と前記中空糸膜の端部が開口する処理水側とに区画する請求項４記載の温度応答性中空糸膜モジュールと、前記温度応答性中空糸膜モジュール内の原水側を加熱する加熱器とを具備することを特徴とする。
【発明の効果】
【００１０】
本発明によれば、中空糸膜の洗浄効果が高く、長期間にわたり膜面の差圧上昇を抑制することができる。
【発明を実施するための最良の形態】
【００１１】
以下、本発明を図面を参照して詳細に説明する。
【００１２】
図１に示すように、本発明において使用される温度応答性中空糸膜１は、中空糸膜２の外表面側にＮ‐イソプロピルアクリルアミドをグラフト重合してなる孔径調整材３を有しており、常温で平均直径（長径と短径の平均）０．１μｍ程度の孔径４を有している。このような該中空糸膜１を用いて、固形分５を含む河川水、雨水貯水、廃水等の原水を中空糸膜外表面側から内表面側に通水して、膜面に固形分５を捕捉する。
【００１３】
Ｎ−イソプロピルアクリルアミドは、単独では温度応答性を有していないが、これを重合した高分子は温度応答性を有する。図２に示すように、中空糸膜２にグラフト重合されたＮ‐イソプロピルアクリルアミドの高分子鎖（孔径調整材）はその側鎖にアミド基をもち、３２℃以下において水和して膨張するが、３２℃を超えると脱水和して収縮する。
【００１４】
このような温度変化に対応したN‐イソプロピルアクリルアミドの高分子鎖の膨張／収縮の変化を利用して、ろ過及び逆洗を行う。すなわち、本発明の温度応答性中空糸膜を用いて、原水を該中空糸膜外表面側から内表面側に通水して外表面側に原水中の固形分を捕捉する。この後、該中空糸膜内表面側から外表面側に逆洗する際に、該中空糸膜の外表面側に滞留している原水を４０〜６０℃に加温してN‐イソプロピルアクリルアミドの高分子鎖を収縮させる。このとき、該高分子鎖の脱水和による収縮にともなって、温度応答性中空糸膜の孔径が拡張（開口）する。例えば、図３に示すように、平均直径０．２μｍ程度の孔径を有する中空糸膜に上記重合剤をグラフト重合させて０．１μｍ程度の孔径をもつ温度応答性中空糸膜を作製した場合、所定温度に原水を制御して該高分子鎖を収縮させることにより、電子顕微鏡で膜面観察した結果、該中空糸膜の孔径を最大０．２μｍ程度（孔径伸縮率５０％）まで開口させることができる。これによって、逆洗時に、該中空糸膜外表面側で捕捉され、堆積した不溶性の固形分を除去し易くすることができ、膜面の差圧上昇を抑制することができる。
【００１５】
原水中に含まれる固形分としては、例えばバクテリア、シリカコロイド、ベントナイト、粘土などが挙げられ、例えば、雨水貯水の場合には、その大きさは０．２７〜１４０μｍに分布している。図４に示すように、これら固形分５は、カルボキシル基、アミノ基、水酸基などを有しており、従来の中空糸膜では、この固形分５は水素結合により中空糸膜２の膜面に付着するため、単に逆洗するだけでは除去し難い。このため、逆洗時に、固形分５を捕捉した膜外表面側の原水を４０〜６０℃に加温することで、上記効果に加えて、固形分と膜表面との結合力を弱めて剥離しやすくすることができる。
【００１６】
本発明において使用される中空糸膜としては、その膜径は、特に限定されるものではないが、内径が０．３〜１．４ｍｍ、外径が１．０〜１．９ｍｍであるものが好ましい。その膜構造についても特に限定はなく、例えば中空糸の内表面から外表面に実質的に連通した孔を有する多孔質構造、又は中空糸の内表面から外表面に実質的に連通した孔の無い均質構造、多孔質膜の表面に実質的に連通した孔の無いスキン層を有する構造等の非対称膜構造のいずれでもよい。ここでいう非対称膜とは、膜構造が均一でない不均質膜、多孔質と均質膜を張り合わせる等により作られる複合膜等、構造が対称でない膜の総称である。細孔の寸法は、捕捉する固形分の大きさに応じて適宜選択されるが、グラフト重合される外表面側の孔径が平均直径にして０．１〜０．２μｍ程度であることが好ましい。中空糸膜の素材としては、例えば、ポリアクリロニトリル、ポリスルフォン、ポリフェニレンスルフォン、ポリフェニレンスルフィドスルフォン、ポリフッ化ビニリデン、酢酸セルロース、ポリエチレン、ポリプロピレン等が挙げられる。
【００１７】
次に、本発明の温度応答性中空糸膜の製造方法の一例を図５及び図６を用いて説明する。図５は、本発明の温度応答性中空糸膜の製造工程の一例を示し、図６は、本発明の温度応答性中空糸膜の製造装置の一例を示している。図６に示す製造装置１０は、孔径０．２μｍ程度のポリエチレン等からなる中空糸膜束１１を配置したモジュール反応槽１２を有しており、このモジュール反応槽１２と連結するように、５％のＮ‐イソプロピルアクリルアミド溶液が貯蔵された重合剤貯槽１３、オゾン発生器１４、コンプレッサー１５及び水が貯蔵された洗浄水貯槽１６がそれぞれ設けられている。なお、重合剤貯槽１３には、その下方に加熱器１７が設けられている。
【００１８】
まず、複数の中空糸膜をＵ字状に集束固定してなる中空糸膜束１１の先端に、Ｎ２ガスを導入可能な導入管付きのキャップ１８を装着して、０．５ｋｇ／ｃｍ２のＮ2ガスを流入する。ここで用いるＮ２ガスとしては、中空糸膜のバブルポイントが２４０〜２６０ＫＰａであり、オゾン発生器１４のガス圧が７００ＫＰａであることから、５００ＫＰａ程度であることが好ましい。これによって、後述するオゾンが中空糸膜の細孔内部に侵入することを防ぎ、重合剤を中空糸膜の外表面側のみにグラフト重合させることができる。
【００１９】
続いて、図６に示すように、中空糸膜束１１の先端にキャップ１８を装着した状態で容器内に配置する。この後、０．４ｇ/ｈのオゾン発生器１４（ガス流量０．０７Ｌ／ｍｉｎ、オゾン濃度０．１１４ｇ／ｌ）により１５〜２０ｇ/ｍ３のオゾンガスをオゾン供給管１９を介してモジュール反応槽１２内に供給し、３〜１０分程度曝露する（Ｓ１）。図７に示すように、長過ぎると、後述するグラフト重合時に過剰に重合され中空糸膜の圧力損失が大きくなる恐れがある。また、曝露時間を上記範囲にすることで、オゾンによる酸化劣化によって膜が脆弱化するのを回避し、膜強度の低下を初期の５〜１０％程度（オゾン曝露後３５０ｇ荷重／本）に抑えることができる。
【００２０】
オゾンによる曝露終了後、空気供給管２０を介してコンプレッサー１５から圧縮空気をモジュール反応槽１２に供給し、余剰なオゾンを排ガス管２１へ排出し、さらに続けて３０分間ほど圧縮空気を送り、中空糸膜束１１を空気に曝す（Ｓ２）。
【００２１】
この後、５％のＮ‐イソプロピルアクリルアミド溶液が貯蔵された重合剤貯槽１３を、加熱器１７で６０℃に温めてモジュール反応槽１２に供給し、これを再び重合剤貯槽１３に送り、加熱循環させながら、中空糸膜束１１をＮ‐イソプロピルアクリルアミド溶液に５分間浸漬して膜表面をグラフト重合させる（Ｓ３）。上述したように、オゾンによる曝露時間を３〜１０分程度にすることで、重合剤を中空糸の膜面あたり２０〜４４μｇ/ｃｍ2グラフト重合させることができる。これによって、中空糸膜外表面側の平均直径０．２μｍの孔径を０．１μｍ程度にすることができる。ここで、図８に、走査型電子顕微鏡による、中空糸膜におけるグラフト重合前後の孔径状態を示す。aは、グラフト重合前の孔径状態を示している。図８に示すように、１０分を超えてオゾン曝露すると（ｄ）、中空糸膜にN‐イソプロピルアクリルアミドが過剰にグラフト重合され、目詰まりを生じる。オゾン曝露時間を３〜１０分にすることで（ｂ、ｃ）、０．１μｍ程度の孔径となるように、所定量の重合剤を膜表面にグラフト重合させることができる。
【００２２】
重合反応終了後、重合剤をモジュール反応槽１２から反応液排出管２２を介して排出する。そして、注入ポンプで洗浄水貯槽１６から水をモジュール反応槽１２に供給して、中空糸膜に残留する未反応の重合剤を洗浄し、コンプレッサー１５で乾燥する（Ｓ４）。なお、未反応の重合剤を完全に取り除くには、水で３０分程度洗浄することが好ましい。未反応の重合剤が中空糸膜に過剰に残留している場合には、更に、モジュール反応槽１２に洗浄水貯槽１６から水を供給して、中空糸膜を浸漬することが好ましい。
【００２３】
このようにして温度応答性中空糸膜を得ることができる。得られた該中空糸膜について、赤外線スペクトル分光器を用いて膜表面を調べた。結果を図９に示す。図９に示す赤外線スペクトルでは、アミド基に由来する波長１５２０ｃｍ−１（主としてＮＨ変角運動によるものと考えられる。）に強い吸収をもつため、N‐イソプロピルアクリルアミドがグラフト重合されていることが確認できる。
【００２４】
なお、本発明の温度応答性中空糸膜の製造方法は上記に限定されるものではなく、以下に示す製造方法を用いてもよい。図１０は、本発明の温度応答性中空糸膜の製造装置の一例を示している。図１１は、図１０に示すオゾン曝露室の拡大図である。図６と同一部分には、同一符号を付し、その説明を一部省略する。図１０に示す製造装置３０では、リール３１で巻き取られた複数本の中空糸膜３２を引き出し、オゾン曝露室３３、重合剤貯槽３４及び洗浄槽３５の順に移動速度２０ｃｍ／ｍｉｎで連続的に処理した後、リール３１で巻き取り回収する。これによって、本発明の温度応答性中空糸膜を得ることができる。
【００２５】
まず、図１１に示すオゾン曝露室３３（長さ１４０ｃｍ）において、０．４８ｇ／ｈのオゾン発生器１４（流量０．０７Ｌ／ｍｉｎ、オゾン濃度０．１１４ｇ／ｌ）から供給されるオゾンの濃度を１５〜２０ｇ／ｍ３に調整して、リール３１から引き出された中空糸膜３２を７分ほど曝露する。なお、オゾンの漏洩を防止するため、空気封入室３６にコンプレッサー３７から０．０７Ｌ/ｍｉｎの圧縮空気を供給することが好ましい。余剰なオゾン又は圧縮空気は排ガス管３８を介して排出する。
【００２６】
この後、駆動リール３９を用いて、オゾン曝露された中空糸膜３２を２０ｃｍ／ｍｉｎで移動させながら３０分間空気中に曝す。駆動リール３９の荷重としては、オゾン曝露によって中空糸膜３２が脆弱になることから３００ｇ以下であることが好ましい。
【００２７】
次に、加熱器１７で６０℃に加温された５％のN‐イソプロピルアクリルアミド溶液が入った重合剤貯槽３４内（長さ１００ｃｍ）に、中空糸膜３２を通して５分間グラフト重合する。
【００２８】
続いて、洗浄槽３５で中空糸膜３２に付着した未反応の重合剤を洗浄して除去し、リール３１で巻き取る。具体的には、洗浄槽３５の長さを１４０ｃｍ程度、中空糸膜３２の洗浄槽３５の通過時間を７分間程度とし、洗浄槽３５には、洗浄水貯槽１６から水などを洗浄槽容積の４倍となる流量で供給する。なお、排液は排液管４０を介して排出する。このようにして容易に収率良く温度応答性ろ過膜を得ることができる。
【００２９】
次に、本発明の温度応答性中空糸膜モジュールを用いたろ過装置について図面を参照して詳細に説明する。
【００３０】
（第１の実施形態）
本発明の第１の実施形態について、図１２を参照して説明する。図１２は、本実施形態に係るろ過装置である。
【００３１】
図１２に示すように、ろ過装置５１は、複数の温度応答性中空糸膜から構成された中空糸膜束５２を容器５３内に配置した温度応答性中空糸膜モジュール（以下、中空糸膜モジュール５４とする。）と、該中空糸膜モジュール５４の原水側５４ａと原水循環管６０を介して連結された加熱器５５とを備えている。
【００３２】
中空糸膜モジュール５４は、固定部材５６（ポッティング剤）によって、各中空糸膜の外表面側と接し且つ原水を供給する原水口を有する原水側５４ａと、各中空糸膜の内表面側とそれぞれの開口端を介して連通し且つ処理水を取り出す処理水口を有する処理水側５４ｂとに区分けされており、原水側５４ａと処理水側５４ｂとの間での物質移動は該中空糸膜の膜面のみを介して行われる。なお、原水側５４ａには、その下方にコンプレッサー５９と連通し圧縮空気を放出する空気放出管５７（第１空気供給系統）が設けられている。
【００３３】
中空糸膜束５２は、複数の温度応答性中空糸膜をＵ字状に折り曲げて一方の側（図１２では上方側）に各端部を集束させるように束ねたものであり、各中空糸膜の内表面側と連通する開口端は固定部材５６により支持固定されている。なお、該中空糸膜の固定方法は、特に限定されるものではなく、例えば、中空糸膜の両開口端を開口状態を維持して対向するように固定部材間に橋渡しするように固定する方法、中空糸膜の一方の端部を封止し、他方の端部を開口状態として固定部材に固定する方法等を用いることもできる。
【００３４】
加熱器５５は、原水側５４ａと連結するように設けられており、該中空糸膜モジュール５４内の膜外表面側と接する原水を４０〜６０℃に加温する。すなわち、加熱器５５には、第２空気配管５８（第２空気供給系統）を介してコンプレッサー５９から圧縮空気が送られている。これによって、原水循環管６０を介して送られた中空糸膜モジュール５４内の原水を加熱器５５で４０〜６０℃に加温し、矢印で示す方向に循環させて該モジュール５４内の原水を４０〜６０℃に制御する。
【００３５】
次に、本実施形態における温度応答性中空糸膜モジュールを用いたろ過装置５１の使用方法の一例を示す。
【００３６】
まず、温度応答性中空糸膜を装填した中空糸膜モジュール５４を用いて、原水をろ過処理する。原水の供給は、原水移送ポンプ６１を駆動源としている。この原水移送ポンプ６１によって原水を原水管６２を介して圧送し、中空糸膜の外表面側から内表面側に流すことにより、原水中の固形分を中空糸膜の外表面側に捕捉する。中空糸膜で処理された処理水は処理水管６３へ送られる。中空糸膜の膜面差圧が初期圧より０．５ｋｇ／ｃｍ２程度上昇した時点で、ろ過処理を停止する。
【００３７】
ここで、以下の手順により、膜面に捕捉され、堆積した固形分の洗浄除去を行う。第２空気配管５８を介してコンプレッサー５９から送られた圧縮空気を加熱器５５に供給することによって、原水循環管６０を介して原水側５４ａから供給された原水を加熱器５５で４０〜６０℃に温めた後、原水側５４ａに送る。これを繰り返し行い、原水を加熱循環させて液温を４０〜６０℃に制御する。
【００３８】
次に、第１空気配管６４を介して空気放出管５７から圧縮空気を放出し、中空糸膜の外表面に堆積、付着している固形分を振動剥離する。これと同時に、逆圧洗浄手段として第３空気配管６５を介してコンプレッサー５９から供給される圧縮空気（３．０ｋｇ／ｃｍ２）によって、処理水側５４ｂに滞留する処理水をろ過運転時とは逆方向の原水側５４ａに流し込み、各中空糸膜の内表面側から外表面側に逆洗する。処理水側５４ｂの処理水が、原水側５４ａに混入するため一時液温が４０℃未満に低下するが、第２空気配管５８を介して圧縮空気を加熱器５５に供給し、原水側５４ａを加熱循環させることで４０〜６０℃まで上昇させる。なお、逆洗時に供給された余剰な圧縮空気は、空気排出ライン６６へ排出される。
【００３９】
逆洗終了後、中空糸膜の膜面差圧を測定し、再び、ろ過処理を行う。以上の操作を繰り返し行う。ろ過量に対する膜面差圧を図１３に示す。
【００４０】
図１３中、（Ａ）は、本実施形態に係る温度応答性中空糸膜を用いた場合のろ過量に対する膜面差圧を示しており、（Ｂ）は、N−イソプロピルアクリルアミドがグラフト重合されていない従来の中空糸膜を用いた場合の膜面差圧を示している。図１３に示すように、本実施形態に係る温度応答性中空糸膜によれば、膜面に付着した固形分などをより完全に除去することが可能なため、逆洗後の膜面差圧の上昇を抑制することできる。
【００４１】
したがって、本実施形態によれば、原水側の液温を４０〜６０℃に制御することで、N−イソプロピルアクリルアミドの高分子鎖を収縮させて温度応答性中空糸膜の孔径を最大０．２μｍまで開口させることができる。これによって、逆洗時に、膜面に目詰まった固形分を剥離し易くして洗浄効果を高めることができ、膜面差圧の上昇を効果的に抑制することができる。さらには、設備稼働率の向上が図れるとともに、運転に消費するエネルギーも削減することができる。また、処理水の消費量を低減することができるため、処理水の回収率を向上することができる。
【００４２】
（第２の実施形態）
本発明の第２の実施形態に係るろ過装置について、図１４及び図１５を参照して説明する。図１４は、本実施形態に係るろ過装置である。図１５は、図１４に示す加熱器の拡大図である。なお、第１の実施形態のろ過装置の構成と同一の構成部分には、同一の符号を付して、その説明を簡略または省略する。
【００４３】
図１４に示すように、ろ過装置７０では、加熱器７１を中空糸膜モジュール５４内に設けてもよい。すなわち、ここで用いる加熱器７１は、空気放出管５７の下方に配置されており、図１５に示すように伝熱管７２に熱水流路のための穴７３が複数設けられている。このような加熱器７１で原水側５４ａの原水を４０〜６０℃に加温し、空気放出管５７から放出される圧縮空気（３００Ｌ／ｈ／ｍ２）でこれを対流させることにより、膜外表面側と接する原水の液温を４０〜６０℃に制御する。中空糸膜の逆洗は、原水側５４ａの液温が４０〜６０℃に保たれた時に行われる。すなわち、原水側５４ａが所定温度に制御された時点で、第３空気配管６５を介した流量４０，０００Ｌ／ｈ／ｍ2の圧縮空気により、処理水側５４ｂに滞留する処理水を原水側５４ａに流し込み、中空糸膜を逆洗する。このとき、空気放出管５７から放出される圧縮空気で、原水側５４ａの膜表面に付着した固形分を強制的に剥離する。
【００４４】
したがって、本実施形態によれば、原水側を４０〜６０℃に加温して対流させることによって温度分布の偏りを抑制することができ、逆洗時に該中空糸膜の高い洗浄効果を発揮することができる。さらには、簡便な装置及び操作で長期にわたり膜性能を維持することができる。
【００４５】
（第３の実施形態）
本発明の第３の実施形態に係るろ過装置について、図１６を参照して説明する。図１６は、本実施形態に係るろ過装置である。
【００４６】
図１６に示すように、ろ過装置８０では、中空糸膜モジュール５４の下方に加熱器８１を備えた飽和蒸気発生器８２を設けてもよい。原水管６２を介して原水を飽和蒸気発生器８２に送り、ここで加熱器８１により原水を６０℃以上好ましくは１００℃以上に温めて飽和蒸気を発生させて、原水側５４ａに３００Ｌ/ｈ/ｍ3で供給する。そして、空気放出管５７から放出される圧縮空気で、この飽和蒸気を対流させて原水側５４ａの温度を４０〜６０℃に制御する。逆洗は、このようにして原水側５４ａを４０〜６０℃に保たれた時点で行われる。逆洗の操作は、第１及び第２の実施形態と同様にして行う。
【００４７】
したがって、本実施形態によれば、原水側を所定温度に制御することによって、逆洗時に該中空糸膜の優れた洗浄効果が得られ、膜寿命を長期間保つことができる。
【図面の簡単な説明】
【００４８】
【図１】本発明に係る温度応答性中空糸膜の断面図。
【図２】本発明に係る温度応答性中空糸膜において膜面にグラフト重合した重合剤の分子構造を示す図。
【図３】本発明に係る温度応答性中空糸膜の孔径伸縮率と液温との関係を示す図。
【図４】重合剤でグラフト重合されていない膜面に対する固形分の付着を示す図。
【図５】本発明に係る温度応答性中空糸膜の製造工程の一例を示す図。
【図６】本発明に係る温度応答性中空糸膜の製造装置の一例を示す図。
【図７】オゾン曝露時間とグラフト重合する量との関係を示す図。
【図８】本発明に係る温度応答性中空糸膜の孔径状態とオゾン曝露時間との関係を示す図。
【図９】本発明に係る温度応答性中空糸膜の赤外吸収スペクトルを示す図。
【図１０】本発明に係る温度応答性中空糸膜の製造装置の一例を示す図。
【図１１】図１０に示すオゾン曝露室の拡大断面図。
【図１２】第１の実施形態に係るろ過装置を示す図。
【図１３】膜面差圧とろ過量との関係を示す図。
【図１４】第２の実施形態に係るろ過装置を示す図。
【図１５】図１４に示す加熱器の拡大断面図。
【図１６】第３の実施形態に係るろ過装置を示す図。
【符号の説明】
【００４９】
１…温度応答性中空糸膜、２…中空糸膜、３…孔径調整材、４…孔径、５…固形分、５１、７０，８０…ろ過装置、５２…中空糸膜束、５４…中空糸膜モジュール、５４a…原水側、５４ｂ…処理水側、５５，７１，８１…加熱器、５７…空気放出管、５９…コンプレッサー、６２…原水管、６３…処理水管、８２…飽和蒸気発生器。
【図１】
0005134195.tif 000002
【図２】
0005134195.tif 000003
【図３】
0005134195.tif 000004
【図４】
0005134195.tif 000005
【図５】
0005134195.tif 000006
【図６】
0005134195.tif 000007
【図７】
0005134195.tif 000008
【図９】
0005134195.tif 000009
【図１０】
0005134195.tif 000010
【図１１】
0005134195.tif 000011
【図１２】
0005134195.tif 000012
【図１３】
0005134195.tif 000013
【図１４】
0005134195.tif 000014
【図１５】
0005134195.tif 000015
【図１６】
0005134195.tif 000016
【図８】
0005134195.tif 000017